(57)【要約】【課題】移動壁の逆行によって現像剤の分布状態が大きく変化することを抑止した現像剤収容容器、およびこれを備えた画像形成装置を提供する。【解決手段】トナーコンテナは、コンテナ本体３７と、移動壁３２と、シャフト３３と、を備える。移動壁３２は、第１壁部３２Ａと、第２壁部３２Ｂと、を有する。シャフト３３が第１回転方向に回転されると、第２壁部３２Ｂが第１壁部３２Ａを押圧することで第２壁部３２Ｂが第１壁部３２Ａと一体的に第１方向に移動する。シャフト３３が第２回転方向に回転されると、第２壁部３２Ｂは第１壁部３２Ａに対して第１方向上流側に相対移動する。【選択図】図１２
2018205597.tif 000002
【特許請求の範囲】
【請求項１】
第１方向に沿って筒状に延びる内部空間を画定する内周面を有する容器本体であって、前記内部空間に連通するように開口され現像剤が排出されることを許容する現像剤排出口が形成されている、容器本体と、
前記内部空間内の前記現像剤を前記現像剤排出口に向かって搬送しながら、前記内部空間内を前記第１方向に移動する移動壁と、
前記内部空間において前記第１方向に延びるように配置され前記容器本体に回転可能に支持されたシャフトであって、外周面に前記第１方向に沿って螺旋状に形成された第１係合部を有するシャフトと、
を備え、
前記移動壁は、
前記容器本体の前記内周面に接触して配置される第１外周面と、前記容器本体の前記内周面とともに前記現像剤が収容される収容空間を画定する搬送面と、を含み、前記シャフトが挿通されることを許容する空間部が形成されている第１壁部と、
前記第１壁部の前記空間部に嵌合する第２壁部であって、前記シャフトが挿通される軸受部と、当該軸受部の内周面に配置され前記第１係合部と係合可能な第２係合部と、前記第１壁部を前記第１方向に押圧する押圧部と、を含み、前記シャフトが第１回転方向に回転されると前記第１係合部と前記第２係合部との係合に伴って前記押圧部が前記第１壁部を押圧することで前記第１壁部と一体的に前記第１方向に移動し、前記シャフトが第１回転方向とは反対の第２回転方向に回転されると前記第１係合部と前記第２係合部との係合に伴って前記第１壁部に対して前記第１方向上流側に相対移動する、第２壁部と、
を有する、現像剤収容容器。
【請求項２】
前記第２壁部の外周面は、前記容器本体の前記内周面よりも径方向内側に間隔をおいて配置されている、請求項１に記載の現像剤収容容器。
【請求項３】
前記第２壁部は、前記第１外周面よりも前記第１方向上流側で前記容器本体の前記内周面に接触して配置される第２外周面を有する、請求項１に記載の現像剤収容容器。
【請求項４】
前記第１係合部は、
前記第１方向に向かって先細に傾斜した第１傾斜面と、
前記第１傾斜面とは反対側で前記第１方向に向かって先拡がりに傾斜した第２傾斜面であって、前記第１傾斜面よりも緩やかに傾斜した第２傾斜面と、
を有し、
前記第２係合部は、
前記第１方向に向かって先拡がりに傾斜した第３傾斜面と、
前記第３傾斜面とは反対側で前記第１方向に向かって先細に傾斜した第４傾斜面であって、前記第３傾斜面よりも緩やかに傾斜した第４傾斜面と、
を有し、
前記シャフトが第１回転方向に回転される際に前記第１係合部の前記第１傾斜面と前記第２係合部の前記第３傾斜面との係合に伴って前記シャフトに付与される回転トルクよりも、前記シャフトが第２回転方向に回転される際に前記第１係合部の前記第２傾斜面と前記第２係合部の前記第４傾斜面との係合に伴って前記シャフトに付与される回転トルクの方が大きい、請求項１乃至３の何れか１項に記載の現像剤収容容器。
【請求項５】
請求項１乃至４の何れか１項に記載の現像剤収容容器と、
表面に静電潜像が形成されるとともに、現像剤像を担持する像担持体と、
前記現像剤収容容器から前記現像剤が補給され、前記像担持体に前記現像剤を供給する現像装置と、
前記像担持体からシートに前記現像剤像を転写する転写部と、
を備える、画像形成装置。
【請求項６】
前記現像装置は、
所定の搬送方向に前記現像剤が搬送される現像剤搬送路を備えるハウジングと、
前記現像剤排出口の下方において前記ハウジングに開口され、前記現像剤収容容器から前記現像剤搬送路に前記現像剤を受け入れる現像剤補給口と、
前記現像剤搬送路に配置され、前記搬送方向に前記現像剤を搬送する現像剤搬送部材と、
前記現像剤補給口よりも前記搬送方向下流側において、前記現像剤搬送部材の前記搬送方向への前記現像剤の搬送能力を部分的に抑制する搬送能力抑制部と、
を有する、請求項５に記載の画像形成装置。
【発明の詳細な説明】
【技術分野】
【０００１】
本発明は、現像剤を収容する現像剤収容容器、およびこれを備えた画像形成装置に関するものである。
【背景技術】
【０００２】
従来、現像剤を収容する現像剤収容容器として、画像形成装置に備えられたものが知られている。画像形成装置は、像担持体と、現像装置と、現像剤収容容器と、を備える。現像装置から像担持体に現像剤が供給されると、像担持体上に形成された静電潜像が現像剤像として顕在化される。現像剤収容容器は現像剤排出口を備え、現像装置に備えられた補給口に補給現像剤を供給する。
【０００３】
特許文献１には、現像剤排出口に向かって現像剤を搬送しながら、シャフトに沿って移動する移動壁を備えた現像剤収容容器が開示されている。当該技術では、シャフトの外周面に備えられた雄螺旋部と移動壁の軸受部に備えられた雌螺旋部とが係合することで、シャフトの回転に応じて移動壁が移動する。
【先行技術文献】
【特許文献】
【０００４】
【特許文献１】特開２０１５−１２５３３３号公報
【発明の概要】
【発明が解決しようとする課題】
【０００５】
特許文献１に記載された現像剤収容容器では、移動壁と現像剤排出口との間において現像剤が所定の喫水面を有して分布する。当該現像剤の分布状態は、現像剤排出口から排出される現像剤量に影響を及ぼす。このため、現像剤収容容器の使用途中において、誤ってシャフトが逆回転され移動壁が逆行すると、現像剤の分布が変化し、安定した現像剤の補給が実行できないという問題があった。
【０００６】
本発明は、上記のような課題を解決するためになされたものであり、移動壁の逆行によって現像剤の分布状態が大きく変化することを抑止した現像剤収容容器、およびこれを備えた画像形成装置を提供することを目的とする。
【課題を解決するための手段】
【０００７】
本発明の一局面に係る現像剤収容容器は、第１方向に沿って筒状に延びる内部空間を画定する内周面を有する容器本体であって、前記内部空間に連通するように開口され現像剤が排出されることを許容する現像剤排出口が形成されている、容器本体と、前記内部空間内の前記現像剤を前記現像剤排出口に向かって搬送しながら、前記内部空間内を前記第１方向に移動する移動壁と、前記内部空間において前記第１方向に延びるように配置され前記容器本体に回転可能に支持されたシャフトであって、外周面に前記第１方向に沿って螺旋状に形成された第１係合部を有するシャフトと、を備え、前記移動壁は、前記容器本体の前記内周面に接触して配置される第１外周面と、前記容器本体の前記内周面とともに前記現像剤が収容される収容空間を画定する搬送面と、を含み、前記シャフトが挿通されることを許容する空間部が形成されている第１壁部と、前記第１壁部の前記空間部に嵌合する第２壁部であって、前記シャフトが挿通される軸受部と、当該軸受部の内周面に配置され前記第１係合部と係合可能な第２係合部と、前記第１壁部を前記第１方向に押圧する押圧部と、を含み、前記シャフトが第１回転方向に回転されると前記第１係合部と前記第２係合部との係合に伴って前記押圧部が前記第１壁部を押圧することで前記第１壁部と一体的に前記第１方向に移動し、前記シャフトが第１回転方向とは反対の第２回転方向に回転されると前記第１係合部と前記第２係合部との係合に伴って前記第１壁部に対して前記第１方向上流側に相対移動する、第２壁部と、を有する。
【０００８】
本構成によれば、シャフトが第１回転方向に回転されると、移動壁の第１壁部および第２壁部が第１方向に移動することによって、収容空間の現像剤を現像剤排出口から排出することができる。また、シャフトが第２回転方向に回転されると、移動壁の第２壁部が第１壁部を残して第１方向上流側に移動する。このため、第１壁部よりも第１方向下流側の現像剤の分布状態が大きく変化することが抑止され、現像剤の排出が安定して維持される。
【０００９】
上記の構成において、前記第２壁部の外周面は、前記容器本体の前記内周面よりも径方向内側に間隔をおいて配置されていることが望ましい。
【００１０】
本構成によれば、移動壁がコンパクトに設定されるとともに、移動壁の移動時にシャフトに付与される負荷が低減される。
【００１１】
上記の構成において、前記第２壁部は、前記第１お外周面よりも前記第１方向上流側で前記容器本体の前記内周面に接触して配置される第２外周面を有するものでもよい。
【００１２】
本構成によれば、第２壁部が第１壁部に対して第１方向上流側に移動した後、シャフトが再び第１回転方向に回転されると、第２壁部が第１壁部に嵌合しやすくなる。
【００１３】
上記の構成において、前記第１係合部は、前記第１方向に向かって先細に傾斜した第１傾斜面と、前記第１傾斜面とは反対側で前記第１方向に向かって先拡がりに傾斜した第２傾斜面であって、前記第１傾斜面よりも緩やかに傾斜した第２傾斜面と、を有し、前記第２係合部は、前記第１方向に向かって先拡がりに傾斜した第３傾斜面と、前記第３傾斜面とは反対側で前記第１方向に向かって先細に傾斜した第４傾斜面であって、前記第３傾斜面よりも緩やかに傾斜した第４傾斜面と、を有し、前記シャフトが第１回転方向に回転される際に前記第１係合部の前記第１傾斜面と前記第２係合部の前記第３傾斜面との係合に伴って前記シャフトに付与される回転トルクよりも、前記シャフトが第２回転方向に回転される際に前記第１係合部の前記第２傾斜面と前記第２係合部の前記第４傾斜面との係合に伴って前記シャフトに付与される回転トルクの方が大きいことが望ましい。
【００１４】
本構成によれば、シャフトが第２回転方向に回転される場合のシャフトに付与される回転トルクを大きくすることができる。
【００１５】
本発明の他の局面に係る画像形成装置は、上記の何れか１に記載の現像剤収容容器と、表面に静電潜像が形成されるとともに、現像剤像を担持する像担持体と、前記現像剤収容容器から前記現像剤が補給され、前記像担持体に前記現像剤を供給する現像装置と、前記像担持体からシートに前記現像剤像を転写する転写部と、を備える。
【００１６】
本構成によれば、シャフトが第２回転方向に回転された場合でも、移動壁の第２壁部が第１壁部を残して第１方向上流側に移動する。このため、第１壁部よりも第１方向下流側の現像剤の分布状態が大きく変化することが抑止され、現像剤の排出が安定して維持される。この結果、シートに安定して画像を形成することができる。
【００１７】
上記の構成において、前記現像装置は、所定の搬送方向に前記現像剤が搬送される現像剤搬送路を備えるハウジングと、前記現像剤排出口の下方において前記ハウジングに開口され、前記現像剤収容容器から前記現像剤搬送路に前記現像剤を受け入れる現像剤補給口と、前記現像剤搬送路に配置され、前記搬送方向に前記現像剤を搬送する現像剤搬送部材と、前記現像剤補給口よりも前記搬送方向下流側において、前記現像剤搬送部材の前記搬送方向への前記現像剤の搬送能力を部分的に抑制する搬送能力抑制部と、を有する。
【００１８】
本構成によれば、体積補給型の現像装置が採用され、収容空間の現像剤が現像剤補給口の周辺の現像剤に圧力を付与することで、現像剤の補給動作が実行される。そして、第１壁部および第２壁部の作用によって現像剤の分布状態が大きく変化することがないため、現像装置のハウジングに現像剤が安定して補給される。
【発明の効果】
【００１９】
本発明によれば、移動壁の逆行によって現像剤の分布状態が大きく変化することを抑止した現像剤収容容器、およびこれを備えた画像形成装置が提供される。
【図面の簡単な説明】
【００２０】
【図１】本発明の一実施形態に係る画像形成装置を示す斜視図である。
【図２】本発明の一実施形態に係る画像形成装置の一部が開放された状態の斜視図である。
【図３】本発明の一実施形態に係る画像形成装置の内部構造を示す模式的な断面図である。
【図４】本発明の一実施形態に係る現像装置の内部構造を示す模式的な平面図である。
【図５】本発明の一実施形態に係る現像装置に現像剤が補給される様子を示す模式的な断面図である。
【図６】本発明の一実施形態に係る現像剤収容容器および現像装置の斜視図である。
【図７】本発明の一実施形態に係る現像剤収容容器および現像装置の斜視図である。
【図８】本発明の一実施形態に係る現像剤収容容器の（Ａ）平面図、（Ｂ）正面図である。
【図９】本発明の一実施形態に係る現像剤収容容器の断面図である。
【図１０】本発明の一実施形態に係る現像剤収容容器の内部の様子を示した斜視図である。
【図１１】本発明の一実施形態に係る現像剤収容容器の内部の様子を示した斜視図である。
【図１２】本発明の一実施形態に係る現像剤収容容器の移動壁の模式的な断面斜視図である。
【図１３】本発明の一実施形態に係る現像剤収容容器の移動壁の模式的な断面分解斜視図である。
【図１４】本発明の第１変形実施形態に係る現像剤収容容器の移動壁の模式的な断面斜視図である。
【図１５】本発明の第１変形実施形態に係る現像剤収容容器の移動壁の模式的な断面分解斜視図である。
【図１６】本発明の第２変形実施形態に係る現像剤収容容器の移動壁の模式的な断面斜視図である。
【図１７】本発明の第３変形実施形態に係る現像剤収容容器の移動壁の軸受部の断面図である。
【図１８】本発明の第３変形実施形態に係る現像剤収容容器の移動壁の軸受部の拡大断面図である。
【発明を実施するための形態】
【００２１】
以下、図面を参照しつつ、本発明の一実施形態について説明する。図１及び図２は、本発明の一実施形態に係るプリンター１００（画像形成装置）の斜視図である。図３は、図１および図２に示されるプリンター１００の内部構造を概略的に示す断面図である。図１乃至図３に示される画像形成装置としてのプリンター１００は、いわゆるモノクロプリンター機であるが、他の実施形態において、画像形成装置は、カラープリンター、ファクシミリ装置、これらの機能を備える複合機やトナー画像をシートに形成するための他の装置であってもよい。尚、以下の説明で用いられる「上」や「下」、「前」や「後」、「左」や「右」といった方向を表す用語は、単に、説明の明瞭化を目的とするものであり、画像形成装置の原理を何ら限定するものではない。
【００２２】
プリンター１００は、シートＳに画像を形成するための様々な装置を収容する筐体１０１を備える。筐体１０１は、筐体１０１の上面を規定する上壁１０２と、筐体１０１の底面を規定する底壁１０３（図３）と、上壁１０２と底壁１０３との間の本体後壁１０５（図３）と、本体後壁１０５の前方に位置する本体前壁１０４と、を含む。筐体１０１は、各種の装置が配置される本体内部空間１０７を備える。筐体１０１の本体内部空間１０７には、シートＳが所定の搬送方向に搬送されるシート搬送路ＰＰが延設されている。また、プリンター１００は、筐体１０１に対して開閉自在に装着される開閉カバー１００Ｃを備える。
【００２３】
開閉カバー１００Ｃは、本体前壁１０４の上方部分である前壁上方部１０４Ｂと、上壁１０２の前方部分である上壁前方部１０２Ｂとから構成される。また、開閉カバー１００Ｃは、左右方向の両端部に配置された一対のアーム部１０８に配置される不図示のヒンジ軸を支点として、上下方向に開閉可能とされる（図２）。開閉カバー１００Ｃの開状態において、本体内部空間１０７の上方が外部に開放される。一方、開閉カバー２００Ｃの閉状態において、本体内部空間１０７の上方が、閉塞される。
【００２４】
上壁１０２の中央部には、排紙部１０２Ａが配置される。排紙部１０２Ａは、上壁１０２の前方部分から後方部分にかけて、下方に傾斜した傾斜面からなる。排紙部１０２Ａには、後記の画像形成部１２０において、画像が形成されたシートＳが排出される。また、本体前壁１０４の上下方向の中央部には、手差しトレイ１０４Ａが配置される。手差トレイ１０４Ａは、下端を支点として、上下に回動可能である（図３の矢印ＤＴ）。
【００２５】
図３を参照して、プリンター１００は、カセット１１０と、ピックアップローラー１１２と、第１給紙ローラー１１３と、第２給紙ローラー１１４と、搬送ローラー１１５と、レジストローラー対１１６と、画像形成部１２０と、定着装置１３０とを備える。
【００２６】
カセット１１０は、内部にシートＳを収容する。カセット１１０は、リフト板１１１を備える。リフト板１１１は、シートＳの先頭縁を押し上げるように傾斜する。カセット１１０は、筐体１０１に対して、前方に引き出し可能とされる。
【００２７】
ピックアップローラー１１２は、リフト板１１１によって押し上げられたシートＳの先頭縁上に配置される。ピックアップローラー１１２が回転すると、シートＳはカセット１１０から引き出される。
【００２８】
第１給紙ローラー１１３は、ピックアップローラー１１２の下流に配設され、シートＳを更に下流に送り出す。第２給紙ローラー１１４は、手差しトレイ１０４Ａの支点の内側（後側）に配設され、手差トレイ１０４Ａ上のシートＳを筐体１０１内に引き込む。
【００２９】
搬送ローラー１１５は、第１給紙ローラー１１３、第２給紙ローラー１１４のシート搬送方向の下流に配設される。搬送ローラー１１５は、第１給紙ローラー１１３、第２給紙ローラー１１４によって送り出されたシートＳを更に下流へ搬送する。
【００３０】
レジストローラー対１１６は、シートＳの斜め搬送を矯正する機能を有する。これにより、シートＳ上に形成される画像の位置が調整される。レジストローラー対１１６は、画像形成部１２０による画像形成のタイミングに合わせて、シートＳを画像形成部１２０に供給する。
【００３１】
画像形成部１２０は、感光体ドラム１２１（像担持体）と、帯電器１２２と、露光装置１２３と、現像装置２０と、トナーコンテナ３０（現像剤収容容器）と、転写ローラー１２６（転写部）と、クリーニング装置１２７とを備える。
【００３２】
感光体ドラム１２１は、円筒形状を有する。感光体ドラム１２１は、静電潜像が形成される表面を有するとともに、前記表面に該静電潜像に応じたトナー画像（現像剤像）を担持する。帯電器１２２は、所定の電圧が印加され、感光体ドラム１２１の周面を略一様に帯電させる。露光装置１２３は、帯電器１２２によって帯電された感光体ドラム１２１の周面に、レーザー光を照射する。この結果、感光体ドラム１２１の周面には、画像データに対応する静電潜像が形成される。
【００３３】
現像装置２０は、静電潜像が形成された感光体ドラム１２１の周面にトナーを供給する。トナーコンテナ３０は、現像装置２０へトナー（補給現像剤）を供給する。トナーコンテナ３０は、現像装置２０に対して着脱自在に配設されている。現像装置２０がトナーを感光体ドラム１２１に供給すると、感光体ドラム１２１の周面に形成された静電潜像が現像（可視化）される。この結果、感光体ドラム１２１の周面に、トナー画像（現像剤像）が形成される。
【００３４】
転写ローラー１２６は、感光体ドラム１２１の下方においてシート搬送路ＰＰを挟んで感光体ドラム１２１に対向して配置される。転写ローラー１２６は、感光体ドラム１２１との間で転写ニップ部を形成し、トナー画像をシートＳに転写させる。クリーニング装置１２７は、シートＳへトナー画像が転写された後に、感光体ドラム１２１の周面に残るトナーを除去する。
【００３５】
定着装置１３０は、画像形成部１２０よりも搬送方向下流側に配置され、シートＳ上のトナー画像を定着させる。定着装置１３０は、シートＳ上のトナーを溶融させる加熱ローラー１３１と、シートＳを加熱ローラー１３１に密着させる圧力ローラー１３２と、を備える。
【００３６】
プリンター１００は、定着装置１３０の下流に配設された搬送ローラー対１３３と、搬送ローラー対１３３の下流に配設された排出ローラー対１３４と、を更に備える。シートＳは、搬送ローラー対１３３によって上方に搬送され、最終的に、排出ローラー対１３４によって、筐体１０１から排出される。筐体１０１から排出されたシートＳは、排紙部１０２Ａ上に積み重ねられる。
【００３７】
＜現像装置について＞
図４は、現像装置２０の内部構造を示す平面図である。現像装置２０は、一方向（現像ローラー２１の軸方向、左右方向）に長尺の箱形形状を有する現像ハウジング２１０（ハウジング）を備える。該現像ハウジング２１０は、貯留空間２２０（現像剤搬送路）を有する。貯留空間２２０には、現像ローラー２１と、第１攪拌スクリュー２３（現像剤搬送部材）および第２攪拌スクリュー２４と、トナー補給口２５とが配設されている。本実施形態では、一成分現像方式が適用され、この貯留空間２２０には、トナーが現像剤として充填されている。一方、二成分現像方式の場合、トナーと磁性体からなるキャリアとが混合されたものが、現像剤として充填される。トナーは、貯留空間２２０内において攪拌搬送され、静電潜像を現像するために、逐次現像ローラー２１から感光体ドラム１２１に供給される。
【００３８】
現像ローラー２１は、現像ハウジング２１０の長尺方向に延設される円筒形状を有し、外周に回転駆動されるスリーブ部分を有する。現像ハウジング２１０の貯留空間２２０は、不図示の天板によって覆われるとともに、左右方向に延びる仕切り板２２によって、左右方向に長尺の第１搬送路２２１と第２搬送路２２２とに区画されている。仕切り板２２は、現像ハウジング２１０の左右方向の幅よりも短く、仕切り板２２の左端及び右端には、第１搬送路２２１と第２搬送路２２２とをそれぞれ連通させる第１連通路２２３及び第２連通路２２４が備えられている。これにより、貯留空間２２０には、第１搬送路２２１、第２連通路２２４、第２搬送路２２２及び第１連通路２２３に至る循環経路が形成される。トナーは、該循環経路内を図４において反時計回りに搬送される。
【００３９】
トナー補給口２５（現像剤補給口）は、現像ハウジング２１０の前記天板に開口された開口部であり、第１搬送路２２１の左端付近の上方に配置されている。トナー補給口２５は、上記の循環経路に対向して配置され、トナーコンテナ３０のトナー排出口３７７（図４）から補給される補給トナー（補給現像剤）を貯留空間２２０に受け入れる機能を備える。
【００４０】
第１攪拌スクリュー２３は、第１搬送路２２１に配設されている。第１攪拌スクリュー２３は、第１回転軸２３ａと、この第１回転軸２３ａの周上にスパイラル状に突設された第１螺旋羽根２３ｂとを含む。第１攪拌スクリュー２３は、第１回転軸２３ａ回り（矢印Ｒ２）に回転駆動されることで、図４の矢印Ｄ１方向にトナーを搬送する。第１攪拌スクリュー２３は、トナー補給口２５が第１搬送路２２１に対向する位置を通過するように現像剤を搬送する。これにより、第１攪拌スクリュー２３は、トナー補給口２５から流入する新しいトナーと、第２搬送路２２２側から第１搬送路２２１に搬入されたトナーとを混合しながら搬送する機能を有する。第１攪拌スクリュー２３のトナー搬送方向（Ｄ１方向）下流側には、第１パドル２３ｃが配設されている。第１パドル２３ｃは、第１回転軸２３ａと共に回転され、図４の矢印Ｄ４方向に向かって、第１搬送路２２１から第２搬送路２２２に、トナーを受け渡す。
【００４１】
第２攪拌スクリュー２４は、第２搬送路２２２に配設されている。第２攪拌スクリュー２４は、第２回転軸２４ａと、この第２回転軸２４ａの周上にスパイラル状に突設された第２螺旋羽根２４ｂとを含む。第２攪拌スクリュー２４は、第２回転軸２４ａ回り（矢印Ｒ１）に回転駆動されることで、図４の矢印Ｄ２方向にトナーを搬送しながら、現像ローラー２１にトナーを供給する。第２攪拌スクリュー２４のトナー搬送方向（Ｄ２方向）下流側には、第２パドル２４ｃが配設されている。第２パドル２４ｃは、第２回転軸２４ａと共に回転され、図４の矢印Ｄ３方向に向かって、第２搬送路２２２から第１搬送路２２１に、トナーを受け渡す。
【００４２】
トナーコンテナ３０（図３）は、現像ハウジング２１０のトナー補給口２５の上方に配置されている。トナーコンテナ３０は、トナー排出口３７７（図４）を備える。トナー排出口３７７は、現像装置２０のトナー補給口２５に対応して、トナーコンテナ３０の底部３７１（図８（Ｂ））に配設されている。トナー排出口３７７から落下したトナーは、トナー補給口２５から現像装置２０に補給される。
【００４３】
＜トナー補給について＞
次に、トナー補給口２５から新たに補給されるトナーの流れについて説明する。図５は、現像装置２０に配設されたトナー補給口２５およびトナーコンテナ３０に配設されたトナー排出口３７７付近の断面図である。
【００４４】
トナーコンテナ３０のトナー排出口３７７から供給された補給トナーＴ２は、第１搬送路２２１に落下して既存のトナーＴ１と混合され、第１攪拌スクリュー２３により矢印Ｄ１方向に搬送される。この際、トナーＴ１、Ｔ２は攪拌され、帯電される。
【００４５】
第１攪拌スクリュー２３は、トナー補給口２５よりトナー搬送方向下流側に、部分的に現像剤の搬送性能が抑制される抑制パドル２８（搬送能力抑制部）を備える。本実施形態では、抑制パドル２８は、第１攪拌スクリュー２３の隣接する第１螺旋羽根２３ｂ間に配置された板状部材である。抑制パドル２８が第１回転軸２３ａ回りに回転することで、抑制パドル２８よりも上流側から搬送されるトナーは滞留し始める。そして、これらのトナーの滞留は、抑制パドル２８の直ぐ上流側であって、トナー補給口２５が第１搬送路２２１に対向する位置まで累積していく。この結果、トナー補給口２５の入口付近には、現像剤の滞留部２９（現像剤滞留部）が形成される。なお、トナー補給口２５が対向する領域には、第１螺旋羽根２３ｂが配置されている（図４）。また、他の実施形態において、搬送能力抑制部は、第１攪拌スクリュー２３の第１螺旋羽根２３ｂが部分的に欠落され、第１回転軸２３ａが軸方向に沿って部分的に露出した領域によって形成されてもよい。このような構成においても、第１攪拌スクリュー２３の搬送能力が部分的に抑制されるため、現像剤の滞留部が形成される。
【００４６】
トナー補給口２５から補給トナーＴ２が補給され、貯留空間２２０内のトナー量が増えると、この滞留部２９で滞留するトナーがトナー補給口２５を塞ぎ（封止し）、それ以上のトナーの補給を抑制する。また、第１螺旋羽根２３ｂは、回転されることによって、トナー補給口２５周辺の貯留空間２２０の現像剤を上方に押し上げる。この結果、滞留部２９によるトナー補給口２５の封止作用が増大される。その後、貯留空間２２０内のトナーが現像ローラー２１から消費され滞留部２９で滞留するトナーが減少すると、トナー補給口２５を塞いでいたトナーが減り、滞留部２９とトナー補給口２５との間に隙間が生じる。この結果、再び補給トナーＴ２がトナー補給口２５から貯留空間２２０に流入する。このように、本実施形態では、滞留部２９に滞留するトナーの減少に伴って、補給トナー量の受入量が調整される体積補給型のトナー補給形式が採用される。このため、現像装置２０の現像ハウジング２１０にトナー量を検出するセンサーを備えずとも、現像装置２０にトナーを補給することが可能となる。
【００４７】
＜トナーコンテナの現像装置に対する装着について＞
図６および図７は、本実施形態に係るトナーコンテナ３０および現像装置２０の斜視図である。トナーコンテナ３０は、筐体１０１内の現像装置２０に対して着脱可能とされる。図２を参照して、筐体１０１の開閉カバー１００Ｃが上方に開放されると、現像装置２０の現像ハウジング２１０に備えられたコンテナ収容部１０９が、筐体１０１の外部に露出する。図６および図７を参照して、現像ハウジング２１０は、一対のハウジング左壁２１０Ｌおよびハウジング右壁２１０Ｒを備える。コンテナ収容部１０９は、ハウジング左壁２１０Ｌおよびハウジング右壁２１０Ｒの間に形成されている。本実施形態では、トナーコンテナ３０はコンテナ収容部１０９に対して略上方から装着される（図６および図７の矢印ＤＣ参照）。この際、トナーコンテナ３０の後記のカバー３９がハウジング右壁２１０Ｒ側に配置され、トナーコンテナ３０の後記の蓋部３１が、ハウジング左壁２１０Ｌ側に配置される。現像ハウジング２１０は、一対のガイド溝１０９Ａを備える（図７）。ガイド溝１０９Ａは、ハウジング左壁２１０Ｌおよびハウジング右壁２１０Ｒに形成された溝部分である。
【００４８】
更に、図７を参照して、現像装置２０は、第１伝達ギア２１１と、第２伝達ギア２１２と、第３伝達ギア２１３と、を備える。また、プリンター１００は、筐体１０１に備えられた第１モーターＭ１と、第２モーターＭ２と、制御部５０と、を備える。第１伝達ギア２１１、第２伝達ギア２１２および第３伝達ギア２１３は、ハウジング右壁２１０Ｒに回転可能に支持されたギアである。第１伝達ギア２１１は第２伝達ギア２１２に連結されている。また、第１伝達ギア２１１は不図示のギア群を介して、現像ローラー２１、第１攪拌スクリュー２３および第２攪拌スクリュー２４に連結されている。現像装置２０が筐体１０１に装着されると、第１モーターＭ１が第３伝達ギア２１３に連結されるとともに、第２モーターＭ２が第１伝達ギア２１１に連結される。
【００４９】
第１モーターＭ１は、第３伝達ギア２１３を介して、トナーコンテナ３０の後記のシャフト３３を回転させることで、トナーコンテナ３０の後記の移動壁３２を移動させる。第２モーターＭ２は、第１伝達ギア２１１を介して、現像装置２０の現像ローラー２１、第１攪拌スクリュー２３および第２攪拌スクリュー２４を回転させる。更に、第２モーターＭ２は、第１伝達ギア２１１および第２伝達ギア２１２を介して、トナーコンテナ３０の後記の攪拌部材３５を回転させる。制御部５０は、プリンター１００の印刷動作などにおいて、第１モーターＭ１および第２モーターＭ２をそれぞれ制御し、現像装置２０およびトナーコンテナ３０の各部材を駆動させる。
【００５０】
＜トナーコンテナの構造について＞
次に、図８乃至図１１を参照して、本発明の一実施形態に係るトナーコンテナ３０（現像剤収容容器）について説明する。図８は、本実施形態に係るトナーコンテナ３０の（Ａ）平面図、（Ｂ）正面図である。図９は、トナーコンテナ３０の断面図である。図１０および図１１は、本実施形態に係るトナーコンテナ３０の内部の様子を示した斜視図である。なお、図１０および図１１は、トナーコンテナ３０の後記のコンテナ本体３７が部分的に欠落された斜視図である。
【００５１】
トナーコンテナ３０は、左右方向（第１方向、図９の矢印ＤＡ方向）に延びる筒形状からなる。トナーコンテナ３０は、内部に補給トナー（現像剤）を収容する。トナーコンテナ３０は、蓋部３１と、移動壁３２と、シャフト３３と、攪拌部材３５と、コンテナ本体３７（容器本体）と、トナーセンサーＴＳ（図８（Ｂ））と、第１ギア３８１（図９）と、第２ギア３８２と、カバー３９と、を備える。
【００５２】
蓋部３１（図９、図１０）は、コンテナ本体３７に固定され、コンテナ本体３７の開口部を封止する。蓋部３１は、蓋軸穴部３１Ｊと、第１ガイド部３１２（図９、図１１）と、を備える。蓋軸穴部３１Ｊは、蓋部３１の中央部に備えられ、シャフト３３を回転可能に軸支する。第１ガイド部３１２は、蓋部３１の左側の側面（外面部）において、上下方向に延びるように形成された突起部である。第１ガイド部３１２は、トナーコンテナ３０が現像装置２０に装着されることをガイドする機能を備える。
【００５３】
コンテナ本体３７は、筒形状からなるトナーコンテナ３０の本体部分である。コンテナ本体３７は、内周面３７Ｋと、内部空間３７Ｈ（図９、図１０）と、を備える。内周面３７Ｋは、コンテナ本体３７の内周面であって、トナーコンテナ３０の長手方向（第１方向、図９および図１０の矢印ＤＡ方向）に沿って筒状に延びる内部空間３７Ｈを画定する。
【００５４】
また、図８（Ａ）、（Ｂ）を参照して、コンテナ本体３７は、底部３７１と、天板３７２と、前壁３７３と、後壁３７４と、右壁３７５（図９）と、突出壁３７６（図９）と、を備える。底部３７１は、コンテナ本体３７の底部分であって、下方に向かって突出した半円筒形状からなる。前壁３７３および後壁３７４は、底部３７１の側端から上方に向かって立設された一対の側壁である。天板３７２は、底部３７１の上方に配置され内部空間３７Ｈの上方を覆う。右壁３７５は、底部３７１、前壁３７３、後壁３７４および天板３７２の第１方向の一端側（右端側）に連設され、コンテナ本体３７を塞ぐ壁部である。なお、内部空間３７Ｈは、底部３７１、天板３７２、前壁３７３、後壁３７４によって形成される内周面３７Ｋと、更に、右壁３７５および蓋部３１によって画定される空間である。また、内部空間３７Ｈのうち、右壁３７５と移動壁３２との間の領域が、収容空間３７Ｓとされる。収容空間３７Ｓは、トナーコンテナ３０の内部において、トナーが収容される空間である。
【００５５】
図９に示すように、コンテナ本体３７のうち右壁３７５の第１方向の反対側は開口されている（開口部）。蓋部３１が当該開口部に固定されると、蓋部３１はコンテナ本体３７の内部空間３７Ｈを塞ぐ。なお、蓋部３１の外周縁は、コンテナ本体３７に超音波溶着される。
【００５６】
図９を参照して、突出壁３７６は、コンテナ本体３７の外周面が右壁３７５よりも右側に突出した部分である。突出壁３７６には、カバー３９が装着される。
【００５７】
また、コンテナ本体３７は、前述のトナー排出口３７７（現像剤排出口）と、シャッター３０Ｓ（図６、図８（Ａ））と、本体軸受部３７Ｊ（図９）と、を備える。トナー排出口３７７は、内周面３７Ｋに連通してコンテナ本体３７の下面部に開口されている。図９に示すように、トナー排出口３７７は、コンテナ本体３７の右端部（第１方向の一端部）の下面部に、内部空間３７Ｈに連通するように開口されている。換言すれば、トナー排出口３７７は、第１方向において右壁３７５に隣接して配置されている。また、トナー排出口３７７は、第１方向に沿って所定の長さをもって、かつ、底部３７１の円弧形状に沿って所定の幅をもって、矩形形状に開口されている。本実施形態では、トナー排出口３７７は、底部３７１の下端部よりも周方向に沿って後側かつ上方にずれた位置に開口されている。トナー排出口３７７は、収容空間３７Ｓから現像装置２０に向かってトナーが排出されることを許容する。
【００５８】
本実施形態では、上記のように、底部３７１、前壁３７３、後壁３７４および天板３７２によってコンテナ本体３７の内部空間３７Ｈが形成されている。このため、トナーの自重によって、収容空間３７Ｓ内のトナーが円弧形状からなる底部３７１に集まるため、後記の移動壁３２によって搬送されるトナーを効率的にトナー排出口３７７から排出させることができる。
【００５９】
シャッター３０Ｓ（図６）は、コンテナ本体３７の右端部において、スライド移動可能に配置されている。シャッター３０Ｓは、トナー排出口３７７をコンテナ本体３７の外側から塞ぐ（封止する）とともに、トナー排出口３７７を外部に露出させる。シャッター３０Ｓのスライド移動は、トナーコンテナ３０の現像装置２０に対する装着動作に連動される。
【００６０】
本体軸受部３７Ｊは、右壁３７５に形成された軸受である。本体軸受部３７Ｊには、シャフト３３が挿通される。この際、シャフト３３の右端側がコンテナ本体３７の外側に突出する。
【００６１】
移動壁３２は、コンテナ本体３７の内部（内部空間３７Ｈ）において第１方向に面して配置される壁部である。移動壁３２は、収容空間３７Ｓの第１方向の一方の端面（左端面）を画定する。なお、収容空間３７Ｓの第１方向の他方の端面（右端面）は、右壁３７５によって画定されている。また、移動壁３２は、トナーコンテナ３０の使用開始時から使用終了時までの間、収容空間３７Ｓのトナーをトナー排出口３７７に向かって搬送しながら、第１方向の一端側の初期位置から他端側の最終位置まで、内部空間３７Ｈ内を第１方向に移動する機能を備える。本実施形態では、移動壁３２の初期位置は、蓋部３１の右側（第１方向下流側）に配置され、最終位置はトナー排出口３７７の直左側（第１方向上流側）に配置されている。
【００６２】
図９乃至図１１を参照して、移動壁３２は、搬送壁部３２０と、内壁シール３２２と、シャフトシール３２３と、軸受部３２Ｊ（図９）と、外周面３２Ｋ（第１外周面）と、を備える。外周面３２Ｋは、コンテナ本体３７の内周面３７Ｋに対向して配置されるとともに、内壁シール３２２を介して内周面３７Ｋに接触する。
【００６３】
搬送壁部３２０は、コンテナ本体３７の内周面３７Ｋとともに収容空間３７Ｓを画定する壁部である。特に、搬送壁部３２０は、シャフト３３に垂直な搬送面３２０Ｓを備える。搬送面３２０Ｓは、移動壁３２の移動に伴って、収容空間３７Ｓ内のトナーを押圧しながら搬送する。搬送面３２０Ｓは、コンテナ本体３７の内周面３７Ｋとともにトナーが収容される収容空間３７Ｓを画定する。
【００６４】
軸受部３２Ｊは、搬送壁部３２０の略中央部に形成された軸受部である。軸受部３２Ｊは移動壁３２を保持しながら第１方向に沿って移動する。後記のシャフト３３は、この軸受部３２Ｊに挿通されている。
【００６５】
軸受部３２Ｊは、雌螺旋部３２０Ｄを備える。雌螺旋部３２０Ｄは、軸受部３２Ｊの内周面に形成された螺旋状のねじ部である。雌螺旋部３２０Ｄは、シャフト３３の後記の雄螺旋部３３３と係合することで、移動壁３２を第１方向に沿って移動させる機能を備える。
【００６６】
内壁シール３２２は、移動壁３２の第１方向下流側において、移動壁３２の外周面３２Ｋに沿って配置されるシール部材である。内壁シール３２２は、移動壁３２の周方向全体に亘って配置される。内壁シール３２２はウレタンスポンジからなる弾性部材である。
【００６７】
内壁シール３２２は、コンテナ本体３７の内周面３７Ｋと移動壁３２との間で圧縮変形される。内壁シール３２２によって、収容空間３７Ｓのトナーが、コンテナ本体３７の内周面３７Ｋと移動壁３２との間から、移動壁３２よりも移動方向上流側に流出することが防止される。
【００６８】
シャフトシール３２３は、軸受部３２Ｊにおいて雌螺旋部３２０Ｄよりも移動壁３２の移動方向先端側に固定されている（図９）。シャフトシール３２３はリング形状を有するため、シャフト３３の周方向全体に亘ってシャフト３３に密着する。このため、収容空間３７Ｓのトナーが軸受部３２Ｊを通って移動壁３２よりも移動方向上流側に流出することが防止される。
【００６９】
シャフト３３は、内部空間３７Ｈにおいて第１方向に延びるようにコンテナ本体３７の右壁３７５および蓋部３１に回転可能に支持されている。シャフト３３は、第１シャフト端部３３１と、第２シャフト端部３３２と、雄螺旋部３３３と、移動壁停止部３３４と、を備える。
【００７０】
図９を参照して、第１シャフト端部３３１は、本体軸受部３７Ｊを貫通して右側に突出したシャフト３３の先端部である。第１シャフト端部３３１の周面には、一対のＤ面が形成されている。第１シャフト端部３３１には、中央部にＤ穴形状を備える第２ギア３８２が係合される。この結果、シャフト３３と第２ギア３８２とが一体回転可能とされる。第２シャフト端部３３２は、シャフト３３の左端部である。第２シャフト端部３３２は、蓋部３１に形成された蓋軸穴部３１Ｊに軸支される。
【００７１】
雄螺旋部３３３（第１係合部）は、内部空間３７Ｈにおいてシャフト３３の外周面に第１方向に沿って形成された螺旋状のねじ部である。本実施形態では、雄螺旋部３３３は、図１０に示すようにシャフト３３のうち蓋部３１に隣接する領域から、トナー排出口３７７よりも第１方向（図１０の矢印ＤＡ）上流側の領域まで配置されている。
【００７２】
移動壁停止部３３４は、雄螺旋部３３３の第１方向下流側に連続して配置されている。移動壁停止部３３４は、内部空間３７Ｈ内のシャフト３３において雄螺旋部３３３が部分的に欠落された軸部分のみの領域である。移動壁停止部３３４は、トナー排出口３７７の上方であって、トナー排出口３７７よりも第１方向上流側に位置している。
【００７３】
攪拌部材３５（図９）は、トナー排出口３７７の上方において、右壁３７５に沿って配置される。攪拌部材３５は、収容空間３７Ｓ内のトナーを攪拌するとともに、トナー排出口３７７からトナーを送り出す。本実施形態では、攪拌部材３５は、シャフト３３回りに、かつ、シャフト３３に対して相対的に回転する。図１０において、攪拌部材３５は矢印ＤＢ方向に回転される。
【００７４】
第１ギア３８１は、攪拌部材３５に回転駆動力を伝達する。第１ギア３８１は、現像装置２０の第１伝達ギア２１１および第２伝達ギア２１２を介して第２モーターＭ２に連結される（図７）。本実施形態では、第１ギア３８１は、現像装置２０の現像ローラー２１、第１攪拌スクリュー２３および第２攪拌スクリュー２４と同期して回転駆動される。第１ギア３８１は、本体軸受部３７Ｊを貫通した攪拌部材３５に連結される。この結果、第１ギア３８１と攪拌部材３５とが一体的に回転する。
【００７５】
第２ギア３８２は、シャフト３３に回転駆動力を伝達する。第２ギア３８２は、第３伝達ギア２１３を介して第１モーターＭ１に連結される（図７）。図９に示すように、シャフト３３の右端部は、攪拌部材３５を貫通するように配置されている。そして、第２ギア３８２は、シャフト３３の先端部（第１シャフト端部３３１）に連結（固定）されている。
【００７６】
カバー３９は、コンテナ本体３７の突出壁３７６に装着される。カバー３９は、第１ギア３８１および第２ギア３８２の周方向の一部を外部に露出させ、かつ、第１ギア３８１および第２ギア３８２の周方向の他の部分を覆う機能を備えている。図９を参照して、カバー３９は、第２ガイド部３９１と、ギア用開口部３９Ｋとを備えている。
【００７７】
第２ガイド部３９１は、カバー３９の右側の側面において、上下方向に沿って右側に突設される突起部である。第２ガイド部３９１は、蓋部３１の第１ガイド部３１２とともに、トナーコンテナ３０が現像装置２０に装着されることをガイドする機能を備える。
【００７８】
ギア用開口部３９Ｋは、カバー３９の下面部が半円弧形状をもって開口された開口部である。カバー３９がコンテナ本体３７に装着されると、第１ギア３８１および第２ギア３８２のギア歯の一部がギア用開口部３９Ｋを介してトナーコンテナ３０の外側に露出する。この結果、トナーコンテナ３０が現像装置２０の現像ハウジング２１０に装着された際に、第１ギア３８１および第２ギア３８２がそれぞれ第２伝達ギア２１２に接続された電磁クラッチおよび第３伝達ギア２１３（図７）に係合される。
【００７９】
トナーセンサーＴＳ（図８（Ｂ））は、コンテナ本体３７に固定されるセンサーである。トナーセンサーＴＳは、周方向においてトナー排出口３７７の上方に隣接して配置されている。トナーセンサーＴＳは、透磁率センサー（磁気センサー）もしくは圧電素子からなるセンサーである。トナーセンサーＴＳが圧電素子からなる場合、トナーセンサーＴＳのセンサー部分は収容空間３７Ｓに露出している。トナーセンサーＴＳは、収容空間３７Ｓのトナーに押圧されることで、ＨＩＧＨ信号（＋５Ｖ）を出力する。また、トナーセンサーＴＳの上方にトナーがほとんど存在しない場合には、トナーセンサーＴＳはＬＯＷ信号（０Ｖ）を出力する。トナーセンサーＴＳの出力信号は、制御部５０（図７）によって参照される。なお、トナーセンサーＴＳが透磁率センサーの場合、センサーが直接トナーに接触する必要がない。このため、トナーセンサーＴＳは、コンテナ本体３７の外壁に固定されればよい。また、他の実施形態において、トナーセンサーＴＳは、コンテナ本体３７の外壁に対向するように現像装置２０の現像ハウジング２１０側（装置本体側）に配置されてもよい。更に、トナーセンサーＴＳの配置は、後壁３７４に限定されるものではない。他の実施形態において、トナーセンサーは、コンテナ本体３７の天板３７２、前壁３７３および底部３７１などに配置されてもよい。
【００８０】
＜移動壁の移動について＞
蓋部３１の第１ガイド部３１２およびカバー３９の第２ガイド部３９１が、現像装置２０の一対のガイド溝１０９Ａにガイドされながら、トナーコンテナ３０がユーザーによってコンテナ収容部１０９に装着される（図６、図７）。トナーコンテナ３０がコンテナ収容部１０９に装着される際、シャッター３０Ｓが移動され、トナー排出口３７７が開放される。この結果、トナー排出口３７７がトナー補給口２５の上方に対向して配置される（図４、図５）。
【００８１】
なお、図１０は、移動壁３２が初期位置から第１方向に移動した途中の状態を示す断面図である。また、移動壁３２の初期位置は、蓋部３１に沿った位置、すなわち、図９で示される移動壁３２の位置よりも左側に設定されている。
【００８２】
新しいトナーコンテナ３０がプリンター１００に装着されると、制御部５０（図７）は、第１モーターＭ１を駆動させ、第３伝達ギア２１３に係合する第２ギア３８２を介して、シャフト３３を回転駆動させる。この結果、シャフト３３の雄螺旋部３３３と移動壁３２の雌螺旋部３２０Ｄとの係合によって、移動壁３２が第１方向（図９の矢印ＤＡ）にトナー排出口３７７に向かって移動する。やがて、移動壁３２が初期位置から右方に所定の距離だけ移動すると、収容空間３７Ｓがトナーで充満され、トナーセンサーＴＳが充満状態に応じたＨＩＧＨ信号を出力する。制御部５０は、トナーセンサーＴＳから出力されたＨＩＧＨ信号を受けて、移動壁３２を停止させる。
【００８３】
前述のように、本実施形態では、図５に示すように体積補給型のトナー補給形式が採用されている。このため、現像装置２０側の滞留部２９（図５）がトナー補給口２５を下方から封止している場合、トナーコンテナ３０から補給トナーは落下しない。一方、現像装置２０の現像ローラー２１から感光体ドラム１２１にトナーが供給され、滞留部２９のトナーが減少すると、トナー排出口３７７からトナー補給口２５を介して現像装置２０にトナーが流入する。この結果、トナーコンテナ３０の収容空間３７Ｓでは、トナーセンサーＴＳの周辺のトナーが消失するため、トナーセンサーＴＳがＬＯＷ信号を出力する。該信号を受けて、制御部５０は、トナーセンサーＴＳがＨＩＧＨ信号を出力するまで、第１モーターＭ１を駆動させ、移動壁３２をトナー排出口３７７に向かって更に移動させる。
【００８４】
なお、現像装置２０における現像動作に応じて、制御部５０は、第２モーターＭ２を駆動し、現像ローラー２１などを回転駆動させる。この回転動作に連動して、第２伝達ギア２１２に係合した第１ギア３８１を介して、攪拌部材３５が回転される。この結果、収容空間３７Ｓの右端側に配置された攪拌部材３５がシャフト３３回りに回転するため、トナー排出口３７７の上方のトナーが安定して攪拌される。このため、前記トナーの流動性が増し、トナーが安定してトナー排出口３７７から落下する。
【００８５】
印字動作が繰り返され、トナーコンテナ３０の収容空間３７Ｓのトナーが使用され続けると、やがて移動壁３２はトナー排出口３７７の手前の最終位置に至る。このように、移動壁３２が第１方向に徐々に移動していくことで、収容空間３７Ｓ内のトナーが移動壁３２に押圧されながら、トナー排出口３７７まで搬送される。この際、移動壁３２が最終位置に至るまでの間、収容空間３７Ｓが徐々に縮小されていく。したがって、トナーコンテナ３０の内部において、トナーが残留する空間自体が徐々に消失される。この結果、収容空間の容積が変化しない従来のトナーコンテナと比較して、使用終了時に、コンテナ本体３７の収容空間３７Ｓに残留するトナー量が減少される。
【００８６】
なお、本実施形態では、移動壁３２はトナー排出口３７７よりも僅かに第１方向上流側の最終位置で停止する。詳しくは、移動壁３２の移動に伴って移動壁３２の軸受部３２Ｊが移動壁停止部３３４に至ると、雄螺旋部３３３と雌螺旋部３２０Ｄとの係合が解除される。この結果、シャフト３３から移動壁３２への移動力の伝達が失われ、移動壁３２が最終位置において停止する。
【００８７】
＜移動壁の分離構造について＞
図１２は、本実施形態に係る移動壁３２の模式的な断面斜視図である。図１３は、移動壁３２の模式的な断面分解斜視図である。本実施形態では、移動壁３２は、図１２および図１３に示すような分離構造を備える。なお、図９では、当該分離構造の図示を省略している。図１２および図１３を参照して、移動壁３２は、第１壁部３２Ａと、第２壁部３２Ｂと、を有する。
【００８８】
第１壁部３２Ａは、移動壁３２の外周部分を構成する。第１壁部３２Ａは、前述の外周面３２Ｋ（第１外周面）と、搬送面３２０Ｓと、を含む。また、第１壁部３２Ａには、シャフト３３が挿通されることを許容する、小径空間３２Ａ１および大径空間３２Ａ２（図１３）（いずれも空間部）が形成されている。小径空間３２Ａ１および大径空間３２Ａ２は第１方向において連通している。なお、小径空間３２Ａ１の先端部（第１方向下流側端部）は、リング状の不図示のシール部材によって封止されることが望ましい。第１壁部３２Ａの外周面３２Ｋは、内壁シール３２２（図９）を介してコンテナ本体３７の内周面３７Ｋに接触している。
【００８９】
第２壁部３２Ｂは、移動壁３２の内周部分を構成する。第２壁部３２Ｂは、第１壁部３２Ａの小径空間３２Ａ１および大径空間３２Ａ２に嵌合する形状を有する。詳しくは、第２壁部３２Ｂは、小径部３２Ｂ１と小径部３２Ｂ１よりも第１方向上流側の大径部３２Ｂ２とを有する。図１２、図１３に示すように、小径部３２Ｂ１は、小径空間３２Ａ１に嵌合可能であり、大径部３２Ｂ２は、大径空間３２Ａ２に嵌合可能である。また、第２壁部３２Ｂは、前述のシャフト３３が挿通される軸受部３２Ｊと、軸受部３２Ｊの内周面に配置された雌螺旋部３２０Ｄと、を有する。更に、第２壁部３２Ｂは、第１壁部３２Ａを第１方向に押圧する押圧部３２ＢＨ（図１３）を含む。
【００９０】
なお、小径部３２Ｂ１および大径部３２Ｂ２は、第１方向に沿って見た場合、円形であってもよく、非円形であってもよい。また、第１壁部３２Ａと第２壁部３２Ｂとの接触部にも、不図示のシール部材が配置されてもよい。
【００９１】
シャフト３３が所定の第１回転方向Ｒ１（図１２）に回転されると、雄螺旋部３３３と雌螺旋部３２０Ｄとの係合に伴って押圧部３２ＢＨが第１壁部３２Ａを押圧することで、第２壁部３２Ｂは第１壁部３２Ａと一体的に第１方向に移動する。このため、収容空間３７Ｓのトナーをトナー排出口３７７から排出することができる。なお、第２壁部３２Ｂが第１壁部３２Ａに密着することで、第１壁部３２Ａおよび第２壁部３２Ｂが互いの姿勢を支えることができる。この結果、移動壁３２がシャフト３３に対して垂直な姿勢が保持される。
【００９２】
一方、シャフト３３が第１回転方向Ｒ１とは反対の第２回転方向Ｒ２（図１３）に回転されると、雄螺旋部３３３と雌螺旋部３２０Ｄとの係合に伴って、第２壁部３２Ｂは第１壁部３２Ａに対して第１方向上流側に相対移動する（図１３の矢印ＤＢ）。このため、使用者が誤って第２ギア３８２（図９）に触れ、シャフト３３が第２回転方向Ｒ２に回転された場合であっても、少なくとも移動壁３２の第１壁部３２Ａが第１方向上流側に移動することが抑止される。したがって、第１壁部３２Ａよりも第１方向下流側のトナーの分布状態が大きく変化することが抑止され、トナーの排出が安定して維持される。この結果、シートＳに安定して画像を形成することができる。なお、当該効果は、使用者が一旦トナーコンテナ３０を取り外し、トナーコンテナ３０が鉛直方向に沿うような姿勢とされた場合であっても発現される。すなわち、第１壁部３２Ａの第１方向における位置が変わらなければ、トナーコンテナ３０がプリンター１００内で再び水平な姿勢とされれば、トナーの分布状態はほぼ再現される。
【００９３】
また、本実施形態では、第２壁部３２Ｂの外周面は、コンテナ本体３７の内周面３７Ｋよりも径方向内側に間隔をおいて配置されている。すなわち、移動壁３２のうち第１壁部３２Ａの外周面のみが内壁シール３２２を介して内周面３７Ｋに接触している。このため、第２壁部３２Ｂの外周面が容器本体３７の内周面３７Ｋに接触する態様と比較して、移動壁３２がコンパクトに設定されるとともに、移動壁３２の移動時にシャフト３３に付与される負荷が低減される。また、図１２に示すように、第２壁部３２Ｂが第１壁部３２Ａの径方向の内側に収容されることで、移動壁３２の第１方向における幅を小さく設定することができる。この時、第２壁部３２Ｂの小径部３２Ｂ１と大径部３２Ｂ２との間の段差部を利用して、第１壁部３２Ａを押圧する押圧部３２ＢＨを配置することで、移動壁３２が一層コンパクトに設定される。
【００９４】
また、前述のように、本実施形態では、体積補給型のトナー補給が採用されている。すなわち、収容空間３７Ｓのトナーがトナー補給口３７７の周辺のトナーに圧力を付与することで、トナーコンテナ３０から現像装置２０へのトナー補給動作が実行される。そして、第１壁部３２Ａおよび第２壁部３２Ｂの作用によって移動壁３２よりもトナー排出口３７７側のトナーの分布状態が大きく変化することがないため、現像装置２０の現像ハウジング２１０にトナーが安定して補給される。
【００９５】
以上、本発明の実施形態に係るトナーコンテナ３０を備えたプリンター１００について説明した。一方、本発明はこれに限定されるものではなく、例えば次のような変形実施形態を採用することができる。
【００９６】
（１）上記の実施形態では、プリンター１００としてモノクロプリンターをもって説明したが、本発明はこれに限定されるものではない。特に、プリンター１００がタンデム式のカラープリンターの場合には、プリンター１００の開閉カバー１００Ｃ（図２）が開放された後、複数色のトナーに対応してそれぞれのトナーコンテナ３０が上方から隣接するように筐体１０１内に装着されてもよい。
【００９７】
（２）また、上記の実施形態では、移動壁３２は、蓋部３１側から右壁３７５側に移動する態様にて説明したが、本発明はこれに限定されるものではない。トナー排出口３７７が蓋部３１側に開口され、移動壁３２が右壁３７５側から蓋部３１側に移動する態様でもよい。更に、トナー排出口３７７の開口位置は、上記の位置に限定されるものではない。トナー排出口３７７は、底部３７１の最下端部に開口されてもよいし、更に別の位置に開口されてもよい。
【００９８】
（３）また、上記の実施形態では、体積補給型のトナー補給形式にて説明したが、本発明はこれに限定されるものではない。現像装置２０の現像ハウジング２１０にも不図示のトナーセンサーが備えられ、当該トナーセンサーの出力に応じて、移動壁３２が移動され、トナーコンテナ３０からトナーが現像装置２０に補給されてもよい。また、現像装置２０は、一成分現像方式に限定されるものではなく、二成分現像方式が採用されたものであってもよい。
【００９９】
（４）また、図１４は、本発明の第１変形実施形態に係るトナーコンテナ３０Ａの移動壁３２の模式的な断面斜視図である。図１５は、トナーコンテナ３０Ａの移動壁３２の模式的な断面分解斜視図である。図１５に示すように、第２壁部３２Ｂは、小径部３２Ｂ１および大径部３２Ｂ２に加え、上流壁部３２Ｂ３を備えてもよい。上流壁部３２Ｂ３は、大径部３２Ｂ２よりも第１方向上流側に配置され、大径部３２Ｂ２よりも更に大きな外径を有する。また、上流壁部３２Ｂ３は、副押圧部３２ＢＪと、外周面３２Ｌ（第２外周面）と、を備える。副押圧部３２ＢＪは、第１壁部３２Ａの第１方向上流側の壁面を押圧可能である。また、外周面３２Ｌは、第１壁部３２Ａの外周面３２Ｋよりも第１方向上流側でコンテナ本体３７の内周面３７Ｋに接触して配置される。なお、外周面３２Ｌと内周面３７Ｋとの間にも内壁シール３２２と同様のシール部材が配置されてもよい。
【０１００】
このような構成によれば、第２壁部３２Ｂが第１壁部３２Ａに対して第１方向上流側に移動した（矢印ＤＢ）後、シャフト３３が再び第１回転方向Ｒ１に回転されると、外周面３２Ｌと外周面３２Ｋとの接触摩擦によって、第２壁部３２Ｂが第１方向に移動しやすい。したがって、第２壁部３２Ｂが第１壁部３２Ａの小径空間３２Ａ１および大径空間３２Ａ２に嵌合しやすくなる。
【０１０１】
また、本変形実施形態では、押圧部３２ＢＨに加え、副押圧部３２ＢＪが第１壁部３２Ａを第１方向に押圧する。このため、移動壁３２がシャフト３３に対して垂直な姿勢を維持しやすく、移動壁３２の移動がスムーズに実現される。なお、図１４および図１５に示すように、移動壁３２の第２壁部３２Ｂは３段の段差形状に限定されるものではなく、４段以上の段差形状を備えるものでもよい。また、このような段差形状が無限に設けられたような連続的なテーパ形状が備えられるものでもよい。
【０１０２】
また、図１６は、本発明の第２変形実施形態に係るトナーコンテナ３０Ｂの移動壁３２の模式的な断面斜視図である。図１６では、図１２と比較して、第１壁部３２Ａが第２壁部３２Ｂよりも左方（第１方向上流側）に長く延びている。このような構成の場合、シャフト３３が誤って第２回転方向Ｒ２に逆回転された場合でも、第２壁部３２Ｂが第１壁部３２Ａの円筒内部において、第１方向上流側に移動する。このため、再びシャフト３３が第１回転方向Ｒ１に回転されると、第２壁部３２Ｂが第１壁部３２Ａの内部を第１方向に移動する。したがって、第１壁部３２Ａと第２壁部３２Ｂとの嵌合がスムーズに実現される。なお、図１６において、第２壁部３２Ｂの外周面は第１壁部３２Ａの内周面に径方向において接触していることが望ましい。
【０１０３】
更に、図１７は、本発明の第３変形実施形態に係るトナーコンテナの移動壁の軸受部の断面図である。図１８は、同軸受部の拡大断面図である。本変形実施形態では、雄螺旋部３３３のネジ山および雌螺旋部３２０Ｄのネジ山の形状に特徴を有する。すなわち、図１８を参照して、雄螺旋部３３３は、第１雄斜面３３３Ａ（第１傾斜面）と、第２雄斜面３３３Ｂ（第２傾斜面）と、を有する。
【０１０４】
第１雄斜面３３３Ａは、雄螺旋部３３３の稜線よりも第１方向下流側に配置され、第１方向に向かって先細に傾斜した傾斜面からなる。また、第２雄斜面３３３Ｂは、雄螺旋部３３３の稜線よりも第１方向上流側に配置され、換言すれば、第１雄斜面３３３Ａとは反対側で第１方向に向かって先拡がりに傾斜した傾斜面からなる。また、第２雄斜面３３３Ｂは、第１雄斜面３３３Ａよりも第１方向に対して緩やかに傾斜している。
【０１０５】
また、雌螺旋部３２０Ｄは、第１雌斜面３２０Ｄ１（第３傾斜面）と、第２雌斜面３２０Ｄ２（第４傾斜面）と、を有する。
【０１０６】
第１雌斜面３２０Ｄ１は、雌螺旋部３２０Ｄの稜線よりも第１方向上流側に配置され、第１方向に向かって先拡がりに傾斜した傾斜面からなる。第２雌斜面３２０Ｄ２は、雌螺旋部３２０Ｄの稜線よりも第１方向下流側に配置され、換言すれば、第１雌斜面３２０Ｄ１とは反対側で第１方向に向かって先細に傾斜した傾斜面からなる。第２雌斜面３２０Ｄ２は、第１雌斜面３２０Ｄ１よりも第１方向に対して緩やかに傾斜している。
【０１０７】
このような構成によれば、シャフト３３が第１回転方向（Ｒ１）に回転される際にシャフト３３の第１雄斜面３３３Ａと雌螺旋部３２０Ｄの第１雌斜面３２０Ｄ１との係合に伴ってシャフト３３に付与される回転トルクよりも、シャフト３３が第２回転方向（Ｒ２）に回転される際に雄螺旋部３３３の第２雄斜面３３３Ｂと雌螺旋部３２０Ｄの第２雌斜面３２０Ｄ２との係合に伴ってシャフト３３に付与される回転トルクの方が大きくなる。シャフト３３の第１回転方向への回転および第２回転方向への回転のいずれの場合も、雄螺旋部３３３のピッチは同じであるが、第２回転方向への回転の場合、第２雄斜面３３３Ｂと第２雌斜面３２０Ｄ２との接触によって発生する力の半径方向への分力が大きいため、シャフト３３に対して大きなトルクが発生する。したがって、シャフト３３を回転させるための負荷が大きくなり、第２壁部３２Ｂの移動量を小さくすることができる。このため、手動やシャフト３３の回転に応じて、第１壁部３２Ａおよび第２壁部３２Ｂを再び嵌合させやすくなる。なお、本変形実施形態に係る構造が、先の各実施形態に適用されてもよい。
【符号の説明】
【０１０８】
１００  プリンター（画像形成装置）
１２１  感光体ドラム（像担持体）
１２６  転写ローラー（転写部）
２０  現像装置
２１  現像ローラー
２１０  現像ハウジング（ハウジング）
２３  第１攪拌スクリュー（現像剤搬送部材）
２５  トナー補給口（現像剤補給口）
２８  抑制パドル（搬送能力抑制部）
３０  トナーコンテナ（現像剤収容容器）
３２  移動壁
３２０Ｄ  雌螺旋部（第２係合部）
３２０Ｄ１  第１雌斜面（第３傾斜面）
３２０Ｄ２  第２雌斜面（第４傾斜面）
３２０Ｓ  搬送面
３２２  内壁シール
３２３  シャフトシール
３２Ａ  第１壁部
３２Ａ１  小径空間（空間部）
３２Ａ２  大径空間（空間部）
３２Ｂ  第２壁部
３２Ｂ１  小径部
３２Ｂ２  大径部
３２Ｂ３  上流壁部
３２ＢＨ  押圧部
３２ＢＪ  副押圧部
３２Ｊ  軸受部
３２Ｋ  外周面（第１外周面）
３２Ｌ  外周面（第２外周面）
３３  シャフト
３３３  雄螺旋部（第１係合部）
３３３Ａ  第１雄斜面（第１傾斜面）
３３３Ｂ  第２雄斜面（第２傾斜面）
３７  コンテナ本体
３７７  トナー排出口
３７Ｋ  内周面
３７Ｓ  収容空間
【図１】
2018205597.tif 000003
【図２】
2018205597.tif 000004
【図３】
2018205597.tif 000005
【図４】
2018205597.tif 000006
【図５】
2018205597.tif 000007
【図６】
2018205597.tif 000008
【図７】
2018205597.tif 000009
【図８】
2018205597.tif 000010
【図９】
2018205597.tif 000011
【図１０】
2018205597.tif 000012
【図１１】
2018205597.tif 000013
【図１２】
2018205597.tif 000014
【図１３】
2018205597.tif 000015
【図１４】
2018205597.tif 000016
【図１５】
2018205597.tif 000017
【図１６】
2018205597.tif 000018
【図１７】
2018205597.tif 000019
【図１８】
2018205597.tif 000020